(57)【要約】【課題】金属製の二重容器から直接、飲料等を飲む場合において、口当たりをより良好にする。【解決手段】上側に開口する筒状の内容器３０と外容器２０との間に断熱層が設けられた金属製の二重容器は、内容器３０の上端の開口周縁に設けられ、径方向外側に向かって湾曲するとともに下側に向かって延びる湾曲返し部３３と、湾曲返し部３３の外面と外容器２０の上端部の内面とが接合された接合部４０とを備えている。外容器２０の上端部は、その先端側に向かって壁厚が徐々に薄くなる形状である。【選択図】図２
2019136447.tif 000002
【特許請求の範囲】
【請求項１】
上側に開口する筒状の内容器と外容器との間に断熱層が設けられた金属製の二重容器であって、
前記内容器の上端の開口周縁に設けられ、径方向外側に向かって湾曲しつつ下側に向かって延びる湾曲返し部と、
前記湾曲返し部の外面と前記外容器の上端部の内面とが接合された接合部、又は前記湾曲返し部の先端部の内面と前記外容器の外面とが接合された接合部とを備え、
前記外周壁の上端部及び前記湾曲返し部の先端部のうち、前記接合部の外側の部分を構成する一方は、その先端側に向かって壁厚が徐々に薄くなる形状であることを特徴とする金属製の二重容器。
【請求項２】
前記湾曲返し部の外面と前記外容器の上端部の内面とが接合された接合部を備え、
前記湾曲返し部における前記接合部よりも上側の部分には、前記外周壁の上端部の先端に沿って周方向に延びるとともに、径方向内側に窪む溝部が設けられていることを特徴とする請求項１に記載の金属製の二重容器。
【請求項３】
前記湾曲返し部の先端部の内面と前記外容器の外面とが接合された接合部を備え、
前記外周壁における前記接合部よりも下側の部分には、前記湾曲返し部の先端に沿って周方向に延びるとともに、径方向内側に窪む溝部が設けられていることを特徴とする請求項１に記載の金属製の二重容器。
【発明の詳細な説明】
【技術分野】
【０００１】
本発明は、金属製の二重容器に関する。
【背景技術】
【０００２】
従来、携帯用魔法瓶等として、内容器と外容器との間に真空等により断熱層が設けられた金属製の二重容器が知られている。金属製の二重容器は、例えば、有底筒状の内容器と外容器との間に空間を配置し、内容器の開口の先端と外容器の開口の先端とを溶接した後、内容器と外容器との間の空気を真空吸引することにより製造される（特許文献１〜２参照。）。
【先行技術文献】
【特許文献】
【０００３】
【特許文献１】特開２０００−３３３８４８号公報
【特許文献２】特開２０１６−１１６６２８号公報
【発明の概要】
【発明が解決しようとする課題】
【０００４】
ところで、特許文献１の金属製の二重容器は、内容器の開口を構成する先端部分と外容器の開口を構成する先端部分とが、いわゆる拝み溶接により接合されており、拝み溶接による接合部によって容器の開口部分が形成されている。開口部分に口を当てながら金属製の二重容器から直接、飲料等を飲む場合において、拝み溶接により形成される開口部分は、使用者にエッジ感を覚えさせ、使用者によっては口当たりが好ましくないと感じるおそれがある。
【０００５】
一方、特許文献２の金属製の二重容器は、内容器の先端部分を外側に曲げた折返部の端部を外容器の端部に設けた段差部分に突き合わせた状態として溶接されており、折返部によって丸みを有する開口部分が形成されている。特許文献２の金属製の二重容器においては、直接、飲料等を飲む場合に、折返部に口が触れた際のエッジ感は抑えられるものの、溶接部分の継ぎ目に口が触れると、使用者によっては口当たりが好ましくないと感じるおそれがある。
【０００６】
この発明は、こうした実情に鑑みてなされたものであり、その目的は、金属製の二重容器から直接、飲料等を飲む場合において、口当たりをより良好にすることにある。
【課題を解決するための手段】
【０００７】
上記課題を解決する金属製の二重容器は、上側に開口する筒状の内容器と外容器との間に断熱層が設けられた金属製の二重容器であって、前記内容器の上端の開口周縁に設けられ、径方向外側に向かって湾曲しつつ下側に向かって延びる湾曲返し部と、前記湾曲返し部の外面と前記外容器の上端部の内面とが接合された接合部、又は前記湾曲返し部の先端部の内面と前記外容器の外面とが接合された接合部とを備え、前記外容器の上端部及び前記湾曲返し部の先端部のうち、前記接合部の外側の部分を構成する一方は、その先端側に向かって壁厚が徐々に薄くなる形状である。
【０００８】
金属製の二重容器から直接、飲料等を飲む場合、金属製の二重容器における使用者の口が当たる部分は主に、開口の縁、又は開口付近の外周面となる。使用者の口が容器の開口の縁に当てられた場合には、開口の縁を構成する湾曲返し部の曲面形状に基づく滑らかな口当たりとなる。また、湾曲返し部と外容器との接合部について、その外側の部分を構成する一方の壁部が、先端側に向かって壁厚が徐々に薄くなる形状であることにより、接合部の継ぎ目の段差が小さくなる。そのため、使用者の口が容器の開口付近の外周面に当てられた場合にも、接合部の継ぎ目によるエッジ感の感じ難い滑らかな口当たりとなる。したがって、口当たりをより良好にすることができる。
【０００９】
上記金属製の二重容器において、前記湾曲返し部の外面と前記外容器の上端部の内面とが接合された接合部を備え、前記湾曲返し部における前記接合部よりも上側の部分には、前記外容器の上端部の先端に沿って周方向に延びるとともに、径方向内側に窪む溝部が設けられていることが好ましい。
【００１０】
上記金属製の二重容器において、前記湾曲返し部の先端部の内面と前記外容器の外面とが接合された接合部を備え、前記外容器における前記接合部よりも下側の部分には、前記湾曲返し部の先端に沿って周方向に延びるとともに、径方向内側に窪む溝部が設けられていることが好ましい。
【００１１】
上記各構成によれば、金属製の二重容器の外表面における濡れの広がりを抑制できる。すなわち、金属製の二重容器の開口付近に付着した飲料等の液体による濡れの広がりは、金属製の二重容器の外表面に沿って下側へと進行するが、溝部が障害となることにより溝部よりも下側への液体の進行（液だれ）が抑制される。
【００１２】
さらに上記各構成によれば、溝部の窪み形状に基づく反射光の状態の違いに基づいて、容器の開口付近の外周面における接合部の縁（外容器の上端又は湾曲返し部の先端）の位置を目視により容易に把握することができる。これにより、製造された金属製の二重容器の接合部に関する処理（例えば、接合部の接合状態を確認する品質評価）を行う場合に、接合部の位置を容易に特定することができ、当該処理をスムーズに行うことができる。なお、接合部の外側の部分を構成する一方の壁部を、先端側に向かって壁厚が徐々に薄くなる形状とした場合には、接合部の縁を直接、見つけることが難しくなることから、こうした構成と組み合わせることが特に有効である。
【発明の効果】
【００１３】
本発明によれば、金属製の二重容器から直接、飲料等を飲む場合において、口当たりをより良好にすることができる。
【図面の簡単な説明】
【００１４】
【図１】第１実施形態の金属製の二重容器の半断面図。
【図２】第１実施形態の金属製の二重容器における接合部の付近の部分断面図。
【図３】第２実施形態の金属製の二重容器における接合部の付近の部分断面図。
【発明を実施するための形態】
【００１５】
［第１実施形態］
以下、第１実施形態の金属製の二重容器について説明する。
図１に示すように、第１実施形態の金属製の二重容器１０（以下、二重容器１０と記載する場合がある。）は、上側に開口する有底筒状をなす金属製の外容器２０と、所定の空間をあけて外容器２０の内側に配置され、上側に開口する有底筒状をなす金属製の内容器３０とを備えている。外容器２０と内容器３０との間に設けられる空間Ｓは、真空又は真空に近い状態に減圧されており、断熱層として機能する。
【００１６】
外容器２０は、円筒状の外周壁２１と、外周壁２１の下端を閉塞する外底壁２２とを備え、全体として上側に開口する有底筒状に形成されている。外周壁２１は、その下端から直径が略一定である本体部２１ａを備え、本体部２１ａの上部には、本体部２１ａよりも直径の小さい第１縮径部２１ｂが設けられている。第１縮径部２１ｂの外面には、図示しない蓋部材の雌ねじ部に係合する雄ねじ部２３が形成されている。また、外周壁２１における第１縮径部２１ｂの上部には、第１縮径部２１ｂよりも直径の小さい第２縮径部２１ｃが設けられている。第２縮径部２１ｃは、外容器２０の上端に至るように設けられ、第２縮径部２１ｃによって外容器２０の上端部が構成されている。
【００１７】
内容器３０は、円筒状の内周壁３１と、内周壁３１の下端を閉塞する内底壁３２とを備え、全体として上側に開口する有底筒状に形成されている。また、図２に示すように、内周壁３１の上側の開口周縁（内容器３０の上端の開口周縁）には、内周壁３１の上端部から径方向外側に向かって湾曲しつつ下側に向かって延びる形状（上に凸となる湾曲形状）の湾曲返し部３３が設けられている。湾曲返し部３３は、その基端側に位置して、上側に凸となる湾曲形状のカール部３３ａと、カール部３３ａの先端から下側へ向かって垂れ下がる形状の垂下部３３ｂとを備えている。
【００１８】
図２に示すように、二重容器１０は、外容器２０の上端部である第２縮径部２１ｃと内容器３０の湾曲返し部３３とが接合された接合部４０を備えている。詳述すると、外容器２０の内側において、内容器３０は、湾曲返し部３３における垂下部３３ｂの外面と、外容器２０の第２縮径部２１ｃの内面とが重なるように配置されている。接合部４０は、垂下部３３ｂの外面と第２縮径部２１ｃの内面との重なり部分が溶接により接合された部位である。
【００１９】
接合部４０の外側を構成する部分である第２縮径部２１ｃは、その先端側（上端側）に向かって壁厚が徐々に薄くなる形状に形成されている。詳述すると、第２縮径部２１ｃの外面は、先端側に向かうにしたがって、第２縮径部２１ｃの内面に徐々に近づく曲面状に形成されている。そして、第２縮径部２１ｃの先端において、第２縮径部２１ｃの外面は、湾曲返し部３３の垂下部３３ｂの外面に対して滑らかに接続されている。なお、第２縮径部２１ｃを除いて、外周壁２１の壁厚は略一定である。外周壁２１の壁厚は、例えば、０．２５〜０．４５ｍｍである。
【００２０】
また、湾曲返し部３３の垂下部３３ｂにおける接合部４０よりも上側の部分（第２縮径部２１ｃの先端よりも上側の部分）には、径方向内側に窪む溝部３４が設けられている。溝部３４は、第２縮径部２１ｃの先端が接合している部分から断面円弧状に窪むとともに、第２縮径部２１ｃの先端に沿って周方向に延びるように形成されている。溝部３４の内面は、第２縮径部２１ｃの先端の曲面状の外面から連続した曲面をなすように形成されている。溝部３４は、垂下部３３ｂの壁厚が部分的に薄くなることにより形成されており、溝部３４の最大深さは、垂下部３３ｂの壁厚よりも小さい。なお、湾曲返し部３３の壁厚は、例えば、０．２０〜０．４０ｍｍである。
【００２１】
なお、図２においては、第２縮径部２１ｃの先端部分の形状、及び溝部３４の形状の理解を容易にするために、壁厚等の一部の寸法を部分的に大きくし、表現を多少極端にして図示している。
【００２２】
次に、上記実施形態の作用及び効果について記載する。
（１）上側に開口する筒状の内容器３０と外容器２０との間に断熱層（空間Ｓ）が設けられた金属製の二重容器１０は、内容器３０の上端の開口周縁に設けられ、径方向外側に向かって湾曲するとともに下側に向かって延びる湾曲返し部３３と、湾曲返し部３３の外面と外容器２０の上端部（第２縮径部２１ｃ）の内面とが接合された接合部４０とを備えている。外容器２０の上端部は、その先端側に向かって壁厚が徐々に薄くなる形状である。
【００２３】
二重容器１０から直接、飲料等を飲む場合、二重容器１０における使用者の口が当たる部分は主に、開口の縁、又は開口付近の外周面となる。使用者の口が容器の開口の縁に当てられた場合には、開口の縁を構成する湾曲返し部３３の曲面形状に基づく滑らかな口当たりとなる。また、接合部４０の外側の部分を構成する外容器２０の先端部が、先端側に向かって壁厚が徐々に薄くなる形状であることにより、接合部４０の継ぎ目の段差が小さくなる。そのため、使用者の口が容器の開口付近の外周面に当てられた場合にも、接合部４０の継ぎ目によるエッジ感の感じ難い滑らかな口当たりとなる。
【００２４】
また、外容器２０の上端部を、その先端側に向かって壁厚が徐々に薄くなる形状とした上記構成によれば、接合部の角部が使用者の服やカバン等の布地に引っ掛かることも抑制できる。
【００２５】
（２）特許文献２の金属製の二重容器においては、内容器の先端部分を外側に曲げた折返部の端部を外容器の端部に設けた段差部分に突き合わせた状態として溶接されているが、こうした端部の突き合わせにより接合している構造は、溶接自体が容易ではない。
【００２６】
この点、外容器２０の上端部を、その先端側に向かって壁厚が徐々に薄くなる形状とした上記構成によれば、端部の突き合わせによる接合以外の接合構造（例えば、図２に示すような単純な端部同士の重ね合わせによる接合）も採用することができ、溶接作業の簡略化を図ることが容易である。
【００２７】
（３）湾曲返し部３３（垂下部３３ｂ）における接合部４０よりも上側の部分には、外容器２０の上端部の先端に沿って周方向に延びるとともに、径方向内側に窪む溝部３４が設けられている。
【００２８】
上記構成によれば、二重容器１０の外表面における濡れの広がりを抑制できる。すなわち、二重容器１０の開口付近に付着した飲料等の液体による濡れの広がりは、二重容器１０の外表面に沿って下側へと進行するが、溝部３４が障害となることにより溝部３４よりも下側への液体の進行（液だれ）が抑制される。このように、溝部３４が液だれ抑制部として機能することにより、二重容器１０の外表面の広い範囲が濡れた状態になることを抑制できる。
【００２９】
さらに上記構成によれば、溝部３４の窪み形状に基づく反射光の状態の違いに基づいて、容器の開口付近の外周面における接合部４０の縁（外容器２０の上端）の位置を目視により容易に把握することができる。つまり、溝部３４は、接合部４０の位置を示す指示部として機能する。
【００３０】
これにより、製造された二重容器１０の接合部４０に関する処理（例えば、接合部４０の接合状態を確認する品質評価）を行う場合に、接合部４０の位置を容易に特定することができ、当該処理をスムーズに行うことができる。なお、接合部４０の外側を構成する外容器２０の上端部を、先端側に向かって壁厚が徐々に薄くなる形状とした場合には、接合部４０の縁を直接、見つけることが難しくなることから、こうした構成と組み合わせることが特に有効である。
【００３１】
（４）溝部３４の最大深さは、湾曲返し部３３（垂下部３３ｂ）の壁厚よりも小さい。
上記構成によれば、溝部３４が浅く形成されることにより、使用者の口が容器の開口付近の外周面に当てられて、溝部３４に口が触れた場合にも、滑らかな口当たりとなる。
【００３２】
［第２実施形態］
以下、第２実施形態の金属製の二重容器について説明する。ここでは、第１実施形態との相違点を中心に説明する。第２実施形態の金属製の二重容器は、接合部４０及び溝部３４の構成が第１実施形態と相違している。
【００３３】
図３に示すように、第２実施形態の金属製の二重容器１０は、外容器２０の第２縮径部２１ｃと内容器３０の湾曲返し部３３の先端部である垂下部３３ｂとが接合された接合部４０を備えている。詳述すると、外容器２０の内側において、内容器３０は、湾曲返し部３３における垂下部３３ｂの先端部の内面と、外容器２０の第２縮径部２１ｃの外面とが重なるように配置されている。接合部４０は、垂下部３３ｂの先端部の内面と第２縮径部２１ｃの外面との重なり部分が溶接により接合されている部位である。
【００３４】
接合部４０の外面側を構成する部分である垂下部３３ｂの先端部は、その先端側（下端側）に向かって壁厚が徐々に薄くなる形状に形成されている。詳述すると、垂下部３３ｂの先端部の外面は、先端側に向かうにしたがって、垂下部３３ｂの内面に徐々に近づく曲面状に形成されている。そして、垂下部３３ｂの先端において、垂下部３３ｂの先端部の外面は、第２縮径部２１ｃの外面に対して滑らかに接続されている。なお、垂下部３３ｂの先端部を除いて、湾曲返し部３３の壁厚は略一定である。湾曲返し部３３の壁厚は、例えば、０．２０〜０．４０ｍｍである。
【００３５】
また、第２縮径部２１ｃにおける接合部４０よりも下側の部分（湾曲返し部３３の垂下部３３ｂの先端よりも下側の部分）には、径方向内側に窪む溝部２４が設けられている。溝部２４は、垂下部３３ｂの先端が接合している部分から断面円弧状に窪むとともに、垂下部３３ｂの先端に沿って周方向に延びるように形成されている。溝部２４の内面は、垂下部３３ｂの先端の曲面状の外面から連続した曲面をなすように形成されている。溝部２４は、第２縮径部２１ｃの壁厚が部分的に薄くなることにより形成されており、溝部２４の最大深さは、第２縮径部２１ｃの壁厚よりも小さい。
【００３６】
なお、図３においては、垂下部３３ｂの先端部分の形状、及び溝部２４の形状の理解を容易にするために、壁厚等の一部の寸法を部分的に大きくし、表現を多少極端にして図示している。
【００３７】
第２実施形態の二重容器１０によっても、上記（１）〜（４）と同様の作用効果が得られる。
なお、上記実施形態は、以下のように変更して実施することができる。上記実施形態及び以下の変更例は、技術的に矛盾しない範囲で互いに組み合わせて実施することができる。
【００３８】
・第１実施形態における外容器２０の上端部（第２縮径部２１ｃ）は、先端側に向かって壁厚が徐々に薄くなる形状の範囲において、その形状を変更してもよい。例えば、傾斜面状の外面を有する構成としてもよいし、その外面に曲面状の部分と傾斜面状の部分とを有する構成としてもよい。また、上記実施形態では、外容器２０の上端部の外面は、外容器２０の上端部の外面に対して滑らかに接続されていたが、僅かな段差を有して接続されていてもよい。なお、第２実施形態における湾曲返し部３３の先端部（垂下部３３ｂの先端部）についても、第１実施形態と同様に変更してもよい。
【００３９】
・湾曲返し部３３の垂下部３３ｂを省略してもよい。この場合には、湾曲返し部３３のカール部３３ａにおける下側を指向する先端側の部分と外容器２０とを接合した接合部４０とすればよい。
【００４０】
・溝部２４，３４の形状及び溝深さを変更してもよい。例えば、溝部２４，３４の溝深さを溝部が設けられる壁部の壁厚よりも大きくしてもよい。溝部２４，３４の溝深さを大きくした場合には、溝部２４，３４の液だれ抑制部としての機能を増大させることができる。また、溝部２４，３４を省略してもよい。
【００４１】
・上記実施形態の二重容器１０の用途は特に限定されるものではなく、飲料用保温容器やスープ用保温容器等の公知の金属製の二重容器に適用することができる。また、二重容器１０の全体的な形状は特に限定されるものではなく、その用途等に応じた形状とすることができる。
【００４２】
次に、上記実施形態から把握できる別の技術的思想について以下に追記する。
上記実施形態から、容器の開口付近の外周面における接合部４０の位置の把握を容易にするという技術課題、及び溝部２４，３４を設けることにより当該技術課題を解決するという技術思想を導き出すことができる。この観点においては、上記第１実施形態について、溝部３４を備え、外容器２０の先端部の形状を、その壁厚が先端側に向かって壁厚が徐々に薄くなる形状以外の形状（例えば、壁厚が一定となる形状）とする構成も考えられる。また、上記第２実施形態について、溝部２４を備え、湾曲返し部３３の先端部の形状を、その壁厚が先端側に向かって壁厚が徐々に薄くなる形状以外の形状とする構成も考えられる。これらの場合にも、容器の開口付近の外周面における接合部４０の位置の把握を容易にする効果が得られる。
【００４３】
（イ）上側に開口する筒状の内容器と外容器との間に断熱層が設けられた金属製の二重容器であって、前記内容器の上端の開口周縁に設けられ、径方向外側に向かって湾曲しつつ下側に向かって延びる湾曲返し部と、前記湾曲返し部の外面と前記外容器の上端部の内面とが接合された接合部を備え、前記湾曲返し部における前記接合部よりも上側の部分には、前記外容器の上端部の先端に沿って周方向に延びるとともに、径方向内側に窪む溝部が設けられていることを特徴とする金属製の二重容器。
【００４４】
（ロ）上側に開口する筒状の内容器と外容器との間に断熱層が設けられた金属製の二重容器であって、前記内容器の上端の開口周縁に設けられ、径方向外側に向かって湾曲しつつ下側に向かって延びる湾曲返し部と、前記湾曲返し部の先端部の内面と前記外容器の外面とが接合された接合部とを備え、前記外容器における前記接合部よりも下側の部分には、前記湾曲返し部の先端に沿って周方向に延びるとともに、径方向内側に窪む溝部が設けられていることを特徴とする金属製の二重容器。
【符号の説明】
【００４５】
Ｓ…空間（断熱層）、１０…金属製の二重容器、２０…外容器、２１…外周壁、２１ａ…本体部、２１ｂ…第１縮径部、２１ｃ…第２縮径部、２２…外底壁、２３…雄ねじ部、２４，３４…溝部、３０…内容器、３１…内周壁、３２…内底壁、３３…湾曲返し部、３３ａ…カール部、３３ｂ…垂下部。
【図１】
2019136447.tif 000003
【図２】
2019136447.tif 000004
【図３】
2019136447.tif 000005